(57)【要約】  ステント部材（１０）は、トリガワイヤ（４４）を用いたステント部材の露出したステント（１６）によって、導入器（３８）上に保持される。導入器は、トリガワイヤカテーテル（４０）および４本のトリガワイヤを有し、各トリガワイヤは、トリガワイヤカテーテルからループ状に延在している。ステント部材は、グラフト材料の管状本体（１２）および管状本体の一端に接合され、管状本体の一端から延在している露出したステントを有する。露出したステントは、自動拡張型Ｚステントであり、ストラット（２０）と、ストラット（２０）との間に屈曲部（２２、２８、３０）とを有する。１対のストラットおよびストラット間の屈曲部は、管状本体から遠い選択された頂点距離で頂点を画定する。露出したステントの隣接する頂点は、管状本体から異なる頂点距離であり、その結果、整った方式でトリガワイヤの下に重なる。露出したステントの交互のストラットにおける遠位に延在しているバーブ（２６）は、管状本体から選択された距離に離隔される。
2009528130.tif 000002
【特許請求の範囲】
【請求項１】
管状本体部分と、その端部から延在し、その間に屈曲部を有する複数のストラットとを備えるステント部材であって、１対のストラットと、１対のストラットの間の屈曲部とが、管状本体部分から遠い方に選択された頂点距離で頂点を画定し、隣り合う頂点が、管状本体部分から異なる頂点距離であることを特徴とするステント部材。
【請求項２】
３つの頂点距離は、より短い距離、中程度の距離およびより長い距離である請求項１に記載のステント部材。
【請求項３】
３つの頂点距離は、ステント部材の周囲に連続的に配置される請求項２に記載のステント部材。
【請求項４】
ステント部材の周囲に連続的に配置される３つの頂点距離の４つの集合を含む１２個の頂点を有する請求項２に記載のステント部材。
【請求項５】
前記ストラットの少なくとも一部にバーブをさらに含む請求項１〜４のいずれか一項に記載のステント部材。
【請求項６】
バーブは、ステント部材の交互のストラット上に設けられる請求項１〜５のいずれか一項に記載のステント部材。
【請求項７】
異なるストラット上のバーブは、管状本体部分から選択された距離に離隔され、隣り合うバーブが管状本体部分から異なる距離であるようにする請求項５または６に記載のステント部材。
【請求項８】
自動拡張型ステントである請求項１〜７のいずれか一項に記載のステント部材。
【請求項９】
ｚステントである請求項１〜８のいずれか一項に記載のステント部材。
【請求項１０】
グラフト材料の管状本体と、グラフトの一端で露出される少なくともそのストラットを有する請求項１〜９のいずれか一項に記載のステント部材を含む１つまたは複数のステントと、を備えるステントグラフト。
【請求項１１】
ステント導入器およびその上に解放可能に保持されるステント部材からなる結合体であって、導入器は、トリガワイヤカテーテルおよび少なくとも１つのトリガワイヤを備え、１つまたはそれぞれのトリガワイヤは、トリガワイヤカテーテルからループ状に延在しており、ステント部材は、管状本体部分と、管状本体部分の一端から延在し、その間に屈曲部を有する複数のストラットとを備え、１対のストラットと、１対のストラットの間の屈曲部とが、管状本体部分から遠い方に選択された頂点距離で、頂点を画定し、隣り合う頂点が、管状本体部分から異なる頂点距離であり、ステント部材は、管状本体部分から異なる頂点距離で複数の頂点を通過する１つまたはそれぞれのトリガワイヤによって、導入器上に保持されることを特徴とする結合体。
【請求項１２】
３つの頂点距離は、より短い距離、中程度の距離およびより長い距離である請求項１１に記載の結合体。
【請求項１３】
３つの頂点距離は、露出したステントの周囲に連続的に配置される請求項１２に記載の結合体。
【請求項１４】
ステント部材は、ステント部材の周囲に連続的に配置される３つの頂点距離の４つの集合を含む１２個の頂点を有する請求項１２に記載の結合体。
【請求項１５】
ステント部材のストラットの少なくとも一部にバーブをさらに含む請求項１１〜１４のいずれか一項に記載の結合体。
【請求項１６】
ステント部材の交互のストラット上のバーブは、管状本体部分から選択された距離に離隔され、隣り合うバーブが管状本体部分から異なる距離であるようにする請求項１５に記載の結合体。
【請求項１７】
ステント部材は、自動拡張型ステントである請求項１１〜１６のいずれか一項に記載の結合体。
【請求項１８】
ステント部材は、ｚステントである請求項１１〜１７のいずれか一項に記載の結合体。
【請求項１９】
ステント部材は、それに接着されるグラフト材料を有する１つまたは複数のステントを備えるステントグラフトである請求項１〜１８のいずれか一項に記載の結合体。
【発明の詳細な説明】
【技術分野】
【０００１】
本発明は、ステントおよびステントグラフトに関し、さらに詳細には導入器におけるステントおよびステントグラフトの保持に関する。
【背景技術】
【０００２】
発明の背景
人間または動物の体内の血管内への導入に関して、導入器の半径方向に圧縮または制限された状態でそのようなステントグラフトを保持する導入器または展開デバイスが提案されている。一般に、シースの取り出し時に、適切な解放機構の作動により、そのようなステントグラフトを体腔内で解放させる。
【０００３】
ステントグラフトの中には、ストラットおよびストラット間の屈曲部から構成される露出した近位部延在式ジグザグステントが含まれる。導入器へのそのようなステントグラフトの保持は、解放機構による導入器へのジグザグの露出されたステントの屈曲部の保持によるものであってもよい。しかし、露出されたステントの屈曲部およびストラットは、ステントグラフトを可能な限り小さな領域に半径方向に圧縮または制限することができ、延在されたステントの屈曲部およびストラットのもつれを生じることなく解放することを可能にするような整った方式で導入器の中に保持されることが重要である。
【発明の開示】
【発明が解決しようとする課題】
【０００４】
本発明の態様は、上述の問題のうちの１つまたは複数を克服または低減しようとしている。本発明の態様はまた、治療者に対して有用な代替構成を提供しようとしている。
【０００５】
本願明細書を通じて、大動脈の部分、展開デバイスまたはステントグラフトに対する「遠位」なる語は、心臓から離れるように流れる血液の方向において、さらに遠い方の大動脈、展開デバイスまたはステントグラフトの端部を指し、「近位」なる語は、心臓に近い方の大動脈の部分、展開デバイスまたはステントグラフトの端部を指す。他の管に適用されるとき、尾側および頭側などの類似の用語を理解すべきである。
【課題を解決するための手段】
【０００６】
発明の要約
本発明の第１の態様によれば、管状本体部分と、その端部から延在し、その間に屈曲部を有する複数のストラットとを備えるステント部材であって、１対のストラットと、１対のストラットの間の屈曲部とが、管状本体部分から遠い方に選択された頂点距離で、頂点を画定し、隣り合う頂点が、管状本体部分から異なる頂点距離であることを特徴とするステント部材が提供される。
【０００７】
１「対」のストラットは、１対の中のストラットが同一であることを必ずしも示唆しているわけではない。
【０００８】
好ましくは、３つの頂点距離は、より短い距離、中程度の距離およびより長い距離であり、３つの頂点距離は、露出したステントの周囲に連続的に配置される。
【０００９】
好ましい実施形態において、露出したステントは、露出したステントの周囲に連続的に離隔される３つの頂点距離の４つの集合を含む１２個の頂点を有することができる。
【００１０】
露出したステントの交互のストラットにおけるバーブをさらに含んでもよい。バーブは好ましくは、遠位に延在されている。
【００１１】
導入器におけるパッキングを容易にし、解放時にバーブのもつれを防止するために、露出したステントの交互のストラットにおけるバーブは、それぞれの頂点から選択された距離に離隔され、隣接するバーブが管状本体部分から異なる距離であるようにしてもよい。
【００１２】
本発明の第２の態様によれば、ステント導入器およびその上に解放可能に保持されるステント部材からなる結合体であって、導入器は、トリガワイヤカテーテルおよび少なくとも１つのトリガワイヤを備え、１つまたはそれぞれのトリガワイヤは、トリガワイヤカテーテルからループ状に延在しており、ステント部材は、管状本体部分と、管状本体部分の一端から延在し、その間に屈曲部を有する複数のストラットとを備え、１対のストラットと、１対のストラットの間の屈曲部とが、管状本体部分から遠い方に選択された頂点距離で、頂点を画定し、隣り合う頂点が、管状本体部分から異なる頂点距離であり、ステント部材は、管状本体部分から異なる頂点距離で複数の頂点を通過する１つまたはそれぞれのトリガワイヤによって、導入器上に保持されることを特徴とする結合体が提供される。
【００１３】
好ましくは、導入器は、４つのトリガワイヤを有し、その結果、１２個の屈曲部ステントの３つの屈曲部が各トリガワイヤによって保持されるようになっている。ステント部材上にある異なる数の近位屈曲部を備えたステント部材を用いることができ、導入器は、ステント部材の近位端に導入器を保持するために、異なる数のトリガワイヤを有することができる。たとえば、９個の近位屈曲部を有するステントは、それぞれが各ワイヤによって保持される３つの屈曲部を有する３つのトリガワイヤを用いて、分配デバイス上に保持されることができる。１０個の近位屈曲部を有するステントは、それぞれがワイヤのうちの２つによって保持される２個の屈曲部と、それぞれが他の２つのワイヤによって保持される３つの屈曲部を有する４つのトリガワイヤを用いて、分配デバイス上に保持されることができる。
【００１４】
利点は、トリガワイヤを用いることによって、導入器の上にステントの屈曲部を保持するための構成によって、このように提供され、隣接する屈曲部は、互いに積層され、好ましくはトリガワイヤに対して３つの屈曲部が積層され、それによって、可能な限り小さい体積に保持され、問題なく解放されることができる。
【００１５】
同様に交互のストラットに沿ってバーブを離隔された距離に配置することによって、バーブが、互いと係合する確率が低く、問題を生じる確率が低い。さらに、周囲の体腔に対してさらに確実な取り付けは、そのような構成によって提供される。
【００１６】
本発明の好ましい実施形態は、ここで、添付図面と共に実施例だけによって記載される。
【発明を実施するための最良の形態】
【００１７】
詳細な説明
図面、特に図１を参照すると、ステントグラフト１０は、生物学的適合性グラフト材料からなる管状本体１２を有することが分かる。ステントグラフトの近位端１４で、露出したジグザグステント１６が、縫合１８によって管状本体１２に固着され、管状本体から遠い方に延在している。露出された自動拡張型ステント１６は、ステンレス鋼などの弾性ワイヤからなるストラット２０から形成され、隣接するストラット間に近位屈曲部２２および遠位屈曲部２４を有する。ステントグラフトの近位端に露出したステントを保持する縫合１８は、遠位屈曲部２４の領域に配置される。バーブ２６は、交互のストラット２０の上に装着され、バーブ２６の点２７は遠位に延在している。さらに、ジグザグステントは
通常、ステントグラフトの長さに沿って配置されることになるが、明確にするために、省略されている。
【００１８】
ステントグラフト１０の管状本体１２の近位端１４は、図２において展開された平面の形態（または展開図）において示されている。
【００１９】
図２において、屈曲部２２は、管状本体１２から最長の頂点距離２２ａであり、隣接する屈曲部２８は、管状本体１２から中程度の頂点距離２８ａであり、次に隣接する屈曲部３０は、管状本体１２の近位端１４から最短の頂点距離３０ａであることが分かる。これらの３つ頂点距離２２ａ、２８ａおよび３０ａは、管状本体の近位端に連続的に用いられる。
【００２０】
なお、交互のストラット２０におけるバーブ２６は、隣接する交互のストラットにおける管状本体の近位端１４から異なる距離２６ａ、２６ｂおよび２６ｃで離隔され、ステントグラフトの導入および開放中に、隣接するバーブがもつれたり、または互いと係合したりしないようにする。
【００２１】
図３は、分配のために、シース内で半径方向に圧縮される前に、ステントグラフト導入器で保持される図１および図２のステントグラフトを詳細に示す。導入器の一部のみが、図３には示されている。
【００２２】
導入器３８上にステントグラフト１０を保持するために、露出された自動拡張型ステント１６は、トリガワイヤによって導入器に保持される。導入器は、ノーズコーン拡張器４２まで延在するトリガワイヤカテーテル４０を備え、トリガワイヤ４４は、トリガワイヤカテーテル４０におけるアパーチャ４３から延在している。この実施形態において、４つのトリガワイヤ４４がある。各トリガワイヤ４４は、露出したステント１６の３つの近位屈曲部２２、２８および３０を保持する。
【００２３】
なお、露出した自動拡張型ステント１６の隣接する個別の屈曲部２２、２８および３０は、１本のトリガワイヤ４４の下で保持され、屈曲部は、管状本体１２から異なる頂点距離である。したがって、屈曲部は、トリガワイヤの下に整然と位置決めされ、導入器の上に露出したステント１６の近位端を重ねることを支援する。
【００２４】
本発明の好ましい実施形態において、露出した自動拡張型ステント１６は、管状本体１２の近位端１４から２６ｍｍ、２５ｍｍおよび２４ｍｍの長さでストラットの隣接する対を有し、バーブは、露出した自動拡張型ステントのそれぞれの屈曲部から４〜７ｍｍ、７〜１０ｍｍおよび１０〜１３ｍｍの距離で交互のストラットの上に配置される。したがって、一実施形態において、バーブは、管状本体１２の近位端１４から最長のストラットで１９〜２２ｍｍ、中程度の長さのストロットで１５〜１８ｍｍ、最短のストラットで１１〜１４ｍｍの距離分、離隔される。これらの寸法のすべては、ストラットに沿って測定され、したがって、ステントグラフトの長手方向に対してわずかな角度をなす値である。
【００２５】
種々の改変が、上述の実施形態に対して行われてもよい。たとえば、２つのみの頂点距離であってもよい。他の実施形態において、４つまたはそれ以上の頂点距離であってもよい。
【００２６】
バーブは、すべてのストラットに設けられてもよい。他の実施形態において、バーブは、ストラットの半分より少ない数に設けられる。２つ以上のバーブが、ストラットの一部またはすべてに設けられてもよい。
【００２７】
１本のトリガワイヤが、すべてのストラットのループを通って延在してもよい。あるいは、２本のトリガワイヤ、３本のトリガワイヤまたは５本以上のトリガワイヤであってもよい。一般に、ステントは、ｂ組のそれぞれに配置されているｄ個のループを有するｃ個のループを有する。したがって、ｃ＝ｂ×ｄであり、一般に、各トリガワイヤが２組以上のループを通過しない限り、ｂ本のトリガワイヤである。
【００２８】
ステントグラフトは、その軸に沿って配置される複数のステントを備えてもよい。
変形例において、ステントは、グラフト材料がない状態で展開されてもよい。ステントは、任意の医療移植片または人工装具デバイスの端部に位置する端部または露出したステントであってもよい。
【００２９】
図４Ａ、図４Ｂおよび図４Ｃは、本発明のさらなる変形例による異なる数の屈曲部または点を有するステントに関するストラット長さおよびバーブ間隔を示す。図４Ａは、９個の近位点または屈曲部および９個の遠位点または屈曲部を有する広げたステントを示す。図４Ｂは、１０個の近位点または屈曲部および１０個の遠位点または屈曲部を有する広げたステントを示す。図４Ｃは、１２個の近位点または屈曲部および１２個の遠位点または屈曲部を有する広げたステントを示す。図４Ａ、図４Ｂおよび図４Ｃのそれぞれに添付の表は、各点に関するストラット長さおよびバーブ間隔を示す。寸法はすべて、ｍｍ単位である。図４Ａ、図４Ｂおよび図４Ｃのそれぞれにおける長さ（ａ）は、ステントのストラットの長さを表し、図４Ａ、図４Ｂおよび図４Ｃのそれぞれにおける長さ（ｂ）は、近位点または屈曲部からの交互のストラットにおけるバーブの間隔を表す。なお、各ストラットは、その両側におけるストラットとは異なる長さであり、隣接するバーブのバーブ間隔が、ステントグラフトが分配シースの中に圧縮され、互いに係合またはもつれる確率が低い場合に、可能な限り小さい空間を占める。
【図面の簡単な説明】
【００３０】
【図１】本発明の一実施形態によれば、血管内の展開に適し、その近位端に露出されたジグザグステントを含むステントグラフトを示す。
【図２】平面に展開されたステントグラフトに関する図１のステントの近位端の図を示す。
【図３】ステントグラフト導入器上に保持された図１および図２のステントグラフトを詳細に示す。
【図４Ａ】本発明の実施形態の改変によれば、異なる数の屈曲部または点を有するステントに関するストラットの長さおよびバーブの間隔を示す。
【図４Ｂ】本発明の実施形態の改変によれば、異なる数の屈曲部または点を有するステントに関するストラットの長さおよびバーブの間隔を示す。
【図４Ｃ】本発明の実施形態の改変によれば、異なる数の屈曲部または点を有するステントに関するストラットの長さおよびバーブの間隔を示す。
【図１】
2009528130.tif 000003
【図２】
2009528130.tif 000004
【図３】
2009528130.tif 000005
【図４Ａ】
2009528130.tif 000006
【図４Ｂ】
2009528130.tif 000007
【図４Ｃ】
2009528130.tif 000008
【国際調査報告】
2009528130.tif 000009
2009528130.tif 000010